(57)【要約】【課題】温水ヒータの消費電力を抑制つつ温水洗浄を快適に使用させる。【解決手段】使用者による洗浄水の使用水量Ｑを学習し、温度ムラのある貯留タンク３４内の洗浄水のうち、使用水量Ｑ分の洗浄水を設定温度Ｔｓで保温するための保温温度Ｔｈを設定し、温水温度センサ２１により検出される洗浄水温度が保温温度Ｔｈとなるよう温水ヒータ３５を制御する。このため、洗浄水の保温温度Ｔｈを、使用者による洗浄水の使用水量Ｑに応じた適切な温度とすることができるから、温水ヒータ３５の消費電力を抑えつつ温水洗浄を快適に使用させることができる。【選択図】図６
2018053443.tif 000002
【特許請求の範囲】
【請求項１】
入水口から入水した洗浄水を貯留して出水口から出水する貯留部と、
前記貯留部内の洗浄水を加温する温水ヒータと、
前記温水ヒータを制御する制御手段と、
を備え、前記貯留部から出水される洗浄水を使用者の局部に噴射する温水洗浄便座装置であって、
前記制御手段は、使用者による洗浄水の使用水量を学習し、学習した前記使用水量に基づいて前記温水ヒータを制御する
温水洗浄便座装置。
【請求項２】
請求項１に記載の温水洗浄便座装置であって、
前記制御手段は、前記使用水量分の洗浄水を所定の設定温度まで昇温するために必要な電力により前記温水ヒータを制御する
温水洗浄便座装置。
【請求項３】
おしり洗浄とビデ洗浄とを行う請求項１または２に記載の温水洗浄便座装置であって、
前記使用水量は、おしり洗浄で使用する水量であるおしり洗浄使用水量とビデ洗浄で使用する水量であるビデ洗浄使用水量とを含み、
前記制御手段は、前記おしり洗浄使用水量と前記ビデ洗浄使用水量とを区別して学習し、学習した前記おしり洗浄使用水量に基づいて前記温水ヒータを制御する
温水洗浄便座装置。
【請求項４】
請求項３に記載の温水洗浄便座装置であって、
前記温水洗浄便座装置が使用者により使用される時間帯に関する情報を取得する時間帯情報取得手段を備え、
前記制御手段は、前記おしり洗浄使用水量と前記ビデ洗浄使用水量とを前記時間帯に対応付けて学習し、前記時間帯毎のおしり洗浄とビデ洗浄の使用状況に基づいて、前記時間帯毎に、前記おしり洗浄使用水量か前記ビデ洗浄使用水量のいずれかに基づいて前記温水ヒータを制御する
温水洗浄便座装置。
【請求項５】
請求項１ないし４いずれか１項に記載の温水洗浄便座装置であって、
便座への使用者の着座を検知する着座検知手段を備え、
前記制御手段は、前記着座検知手段により使用者の着座が検知されている場合には、学習した前記使用水量分の洗浄水を所定の設定温度とするための保温温度で前記温水ヒータを制御し、前記着座検知手段により使用者の着座が検知されていない場合には、前記保温温度よりも低い待機温度で前記温水ヒータを制御する
温水洗浄便座装置。
【請求項６】
請求項１ないし５いずれか１項に記載の温水洗浄便座装置であって、
前記貯留部は、前記入水口と前記出水口とが高さ方向の異なる位置に設けられており、
前記貯留部内の所定の高さ位置に配置される第１の水温検出手段と、前記第１の水温検出手段よりも上方に配置される第２の水温検出手段とを備える
温水洗浄便座装置。
【発明の詳細な説明】
【技術分野】
【０００１】
本発明は、温水洗浄便座装置に関する。
【背景技術】
【０００２】
従来、この種の温水洗浄便座装置として、使用者の不存在を検知すると洗浄水の温度を第１の制御温度よりも低い第２の制御温度となるよう制御し、使用者の存在を検知すると洗浄水の温度を第２の制御温度から第１の制御温度となるよう制御するものが提案されている（例えば、特許文献１参照）。この温水洗浄便座装置は、時間帯毎に使用者の使用回数をカウントして時間帯毎の使用頻度を学習し、使用頻度に応じて第２の制御温度を変更している。また、内部に温水ヒータが配置された温水タンクに洗浄水が貯留されており、温水タンク内に配置された温度センサにより洗浄水の温度が管理されている。
【先行技術文献】
【特許文献】
【０００３】
【特許文献１】特開２０００−１０４３１５号公報
【発明の概要】
【発明が解決しようとする課題】
【０００４】
上述した温水洗浄便座装置は、使用者の存在を検知すると洗浄水の温度を第２の制御温度から第１の制御温度となるよう制御するものであるが、使用者によって洗浄に必要な洗浄水の量は異なるものといえる。このため、温水タンク内の洗浄水全体を第１の制御温度以上に昇温するものとすると、洗浄水を必要以上に昇温することになる場合がある。
【０００５】
本発明の温水洗浄便座装置は、温水ヒータの消費電力を抑制しつつ温水洗浄を快適に使用させることを主目的とする。
【課題を解決するための手段】
【０００６】
本発明の温水洗浄便座装置は、上述の主目的を達成するために以下の手段を採った。
【０００７】
本発明の温水洗浄便座装置は、
入水口から入水した洗浄水を貯留して出水口から出水する貯留部と、
前記貯留部内の洗浄水を加温する温水ヒータと、
前記温水ヒータを制御する制御手段と、
を備え、前記貯留部から出水される洗浄水を使用者の局部に噴射する温水洗浄便座装置であって、
前記制御手段は、使用者による洗浄水の使用水量を学習し、学習した前記使用水量に基づいて前記温水ヒータを制御する
ことを要旨とする。
【０００８】
本発明の温水洗浄便座装置は、使用者による洗浄水の使用水量を学習し、学習した使用水量に基づいて、貯留部内の洗浄水を加温する温水ヒータを制御する。これにより、必要な分の洗浄水を適切な温度として温水洗浄に用いることができる。この結果、温水ヒータの消費電力を抑制しつつ温水洗浄の快適な使用を可能とすることができる。なお、制御手段は、学習した使用水量が少ない場合には多い場合に比して、貯留部内の洗浄水の温度が低くなる傾向で温水ヒータを制御するものとしてもよい。
【０００９】
本発明の温水洗浄便座装置において、前記制御手段は、前記使用水量分の洗浄水を所定の設定温度まで昇温するために必要な電力により前記温水ヒータを制御するものとしてもよい。こうすれば、必要な分の洗浄水を過不足なく温めて、温水洗浄に用いることができる。
【００１０】
おしり洗浄とビデ洗浄とを行う本発明の温水洗浄便座装置において、前記使用水量は、おしり洗浄で使用する水量であるおしり洗浄使用水量とビデ洗浄で使用する水量であるビデ洗浄使用水量とを含み、前記制御手段は、前記おしり洗浄使用水量と前記ビデ洗浄使用水量とを区別して学習し、学習した前記おしり洗浄使用水量に基づいて前記温水ヒータを制御するものとしてもよい。こうすれば、おしり洗浄に必要な分の洗浄水を確実に温めて温水洗浄に用いることができる。
【００１１】
おしり洗浄とビデ洗浄とを行う本発明の温水洗浄便座装置において、前記温水洗浄便座装置が使用者により使用される時間帯に関する情報を取得する時間帯情報取得手段を備え、前記制御手段は、前記おしり洗浄使用水量と前記ビデ洗浄使用水量とを前記時間帯に対応付けて学習し、前記時間帯毎のおしり洗浄とビデ洗浄の使用状況に基づいて、前記時間帯毎に、前記おしり洗浄使用水量か前記ビデ洗浄使用水量のいずれかに基づいて前記温水ヒータを制御するものとしてもよい。こうすれば、時間帯毎に必要な洗浄の使用水量に応じて温水ヒータを適切に制御することができる。
【００１２】
本発明の温水洗浄便座装置において、便座への使用者の着座を検知する着座検知手段を備え、前記制御手段は、前記着座検知手段により使用者の着座が検知されている場合には、学習した前記使用水量分の洗浄水を所定の設定温度とするための保温温度で前記温水ヒータを制御し、前記着座検知手段により使用者の着座が検知されていない場合には、前記保温温度よりも低い待機温度で前記温水ヒータを制御するものとしてもよい。こうすれば、温水洗浄便座装置が使用されていない間は、洗浄水の温度を待機温度として、温水ヒータの消費電力をさらに抑えることができる。
【００１３】
本発明の温水洗浄便座装置において、前記貯留部は、前記入水口と前記出水口とが高さ方向の異なる位置に設けられており、前記貯留部内の所定の高さ位置に配置される第１の水温検出手段と、前記第１の水温検出手段よりも上方に配置される第２の水温検出手段とを備えるものとしてもよい。こうすれば、一の水温検出手段により洗浄水の温度を検出するものに比して、貯留部内の洗浄水の温度をより精度よく検出することができるから、温水ヒータをより適切に制御することができる。
【図面の簡単な説明】
【００１４】
【図１】便器１に取り付けられる温水洗浄便座装置１０の外観を示す外観斜視図である。
【図２】便座装置本体１２の構成を示す構成図である。
【図３】リモートコントロール装置１８の正面図である。
【図４】温水噴射制御処理の一例を示すフローチャートである。
【図５】温水ヒータ制御処理の一例を示すフローチャートである。
【図６】使用水量Ｑと保温温度Ｔｈとの関係の一例を示す説明図である。
【図７】変形例の温水噴射制御処理を示すフローチャートである。
【図８】変形例の温水ヒータ制御処理を示すフローチャートである。
【図９】変形例の貯留タンク１３４を示す構成図である。
【発明を実施するための形態】
【００１５】
本発明を実施するための形態を実施例を用いて説明する。
【実施例】
【００１６】
図１は、便器１に取り付けられる温水洗浄便座装置１０の外観を示す外観斜視図であり、図２は、便座装置本体１２の構成を示す構成図であり、図３は、リモートコントロール装置１８の正面図である。実施例の温水洗浄便座装置１０は、図１に示すように、便器１の上面に取り付けられ、便座装置本体１２と、便座装置本体１２に対して開閉可能に支持された便座１４と、便座装置本体１２に対して開閉可能に支持された便蓋１６と、使用者による各種操作が可能なリモートコントロール装置（以下、リモコン）１８とを備える。
【００１７】
便座装置本体１２は、図２に示すように、給水源からの給水を通過または停止させる止水弁３２と、止水弁３２を通過した洗浄水を貯留する貯留タンク３４と、貯留タンク３４からの洗浄水の流量を調整する流量調整弁３６と、流量調整弁３６から出力された洗浄水の流路を切り替える流路切替弁３８と、人体の局部に向けて洗浄水を噴射するノズル３９（おしり洗浄ノズル３９ａ，ビデ洗浄ノズル３９ｂ）と、便座装置本体１２の各部を制御する制御装置２０と、を備える。また、便座装置本体１２は、貯留タンク３４内の下部に配置され洗浄水（温水）の温度を検出する温水温度センサ２１と、流量調整弁３６から出力される流量を検出する流量センサ２２と、便座１４への使用者の着座を検知する赤外線式の着座検知センサ２３と、時間を計測する計時タイマ２４と、年月日や時分秒などの時刻情報を出力するＲＴＣ（リアルタイムクロック）２５と、を備える。なお、便座装置本体１２は、この他に、便座１４を加温するための便座ヒータなどを備える。
【００１８】
貯留タンク３４は、止水弁３２を通過した洗浄水が入水する入水口３４ａがタンク下部に形成されると共に流量調整弁３６に向けて洗浄水が出水する出水口３４ｂがタンク上部に形成されている。また、貯留タンク３４は、入水口３４ａが形成された下部側に、貯留している洗浄水を加温するための温水ヒータ３５が設けられた、いわゆる貯湯式のタンクとして構成されている。温水ヒータ３５は、所定時間（数分から十数分程度）で貯留タンク３４内の洗浄水を所定温度まで加温可能なヒータとして構成され、例えば４００Ｗ程度の定格出力を有する。この貯留タンク３４では、温水ヒータ３５により温められた洗浄水が上方に移動して、上部側と下部側とで温度ムラが生じるものとなる。また、出水口３４ｂが上部側に形成されているため、水温の高い上部側の洗浄水から出水可能となっている。
【００１９】
リモコン１８は、図３に示すように、おしり洗浄の開始を指示するおしりスイッチ１８ａと、ビデ洗浄の開始を指示するビデスイッチ１８ｂと、おしり洗浄やビデ洗浄の停止を指示する止スイッチ１８ｃと、洗浄水の水勢の強弱を設定する水勢設定スイッチ１８ｄと、洗浄位置の前後を設定する洗浄位置設定スイッチ１８ｅと、洗浄水の設定温度Ｔｓの高低を設定する水温設定スイッチ１８ｆと、多量の洗浄水での便器内洗浄を指示する大洗浄スイッチ１８ｇと、少量の洗浄水での便器内洗浄を指示する小洗浄スイッチ１８ｈとを備える。
【００２０】
制御装置２０は、ＣＰＵ２０ａを中心としたマイクロプロセッサとして構成され、ＣＰＵ２０ａの他にＲＯＭやＲＡＭなどを備える。制御装置２０には、リモコン１８からの操作信号や温水温度センサ２１からの検出信号（洗浄水温度）、流量センサ２２からの検出信号（流量）、着座検知センサ２３からの検知信号、計時タイマ２４の計測時間、ＲＴＣ２５の時刻情報などが入力される。また、制御装置２０からは、止水弁３２への駆動信号や貯留タンク３４の温水ヒータ３５（ヒータスイッチ）への駆動信号、流量調整弁３６への駆動信号、流路切替弁３８への駆動信号、ノズル３９（３９ａ，３９ｂ）を前後に進退させる図示しないモータへの駆動信号、便座ヒータ（ヒータスイッチ）への駆動信号などが出力される。なお、制御装置２０は、温水温度センサ２１から検出された洗浄水温度と、目標温度（水温設定スイッチ１８ｆにより設定された設定温度Ｔｓに基づく後述する保温温度Ｔｈなど）との偏差に基づいて、フィードバック制御によりヒータスイッチをスイッチング制御することにより温水ヒータ３５を駆動制御する。
【００２１】
次に、こうして構成された温水洗浄便座装置１０の動作について説明する。図４は、温水噴射制御処理の一例を示すフローチャートである。このルーチンは、便座装置本体１２の電源が投入されている場合に制御装置２０のＣＰＵ２０ａにより実行される。
【００２２】
この温水噴射制御処理では、制御装置２０は、まず、着座検知センサ２３からの検知信号に基づいて便座１４への使用者の着座が検知されたか否かを判定し（Ｓ１００）、着座が検知されていないと判定すると、そのまま本処理を終了する。また、Ｓ１００で便座１４への着座が検知されたと判定すると、ＲＴＣ２５の時刻情報（現在時刻）から現在の時間帯を取得する（Ｓ１１０）。Ｓ１１０では、例えば、一日２４時間をいくつかに分けた時間帯を予め定めておき、現在時刻がいずれの時間帯にあるかを取得する。時間帯の具体例としては、一日２４時間を、午前０時から午前６時までの時間帯（深夜時間帯）、午前６時から午前１２時までの時間帯（朝時間帯）、正午から午後６時までの時間帯（昼時間帯）、午後６時から午後１２時までの時間帯（夜時間帯）の４つの時間帯などに分けるものが挙げられる。勿論、４つの時間帯に区分する各時間は例示であり均等に分けるものには限られず、また、２つや３つの時間帯や５つ以上の時間帯に分けるものとしてもよい。
【００２３】
次に、制御装置２０は、リモコン１８のおしりスイッチ１８ａが操作されるか（Ｓ１２０）、ビデスイッチ１８ｂが操作されるのを待つ（Ｓ１３０）。Ｓ１２０でおしりスイッチ１８ａが操作されると（リモコン信号を受信すると）、おしり洗浄を開始し（Ｓ１４０）、Ｓ１３０でビデスイッチ１８ｂが操作されると（リモコン信号を受信すると）、ビデ洗浄を開始する（Ｓ１５０）。また、Ｓ１４０またはＳ１５０で洗浄を開始すると、流量センサ２２からの検知信号に基づいて洗浄水の流量ｑを取得しながら（Ｓ１６０）、リモコン１８の止スイッチ１８ｃが操作されるのを待つ（Ｓ１７０）。そして、止スイッチ１８ｃが操作されると、実行中のおしり洗浄やビデ洗浄を終了する（Ｓ１８０）。
【００２４】
Ｓ１８０で洗浄を終了すると、着座検知センサ２３からの検知信号に基づいて便座１４からの使用者の退座が検知されたか否かを判定する（Ｓ１９０）。なお、Ｓ１９０では、便座１４からの退座が所定時間に亘り検出されたことを判定するものなどとしてもよい。便座１４からの退座が検知されたと判定すると、流量ｑを積算することにより今回の洗浄における使用者の使用水量を算出し（Ｓ２００）、Ｓ１１０で取得した時間帯と、おしり洗浄かビデ洗浄の種別と、使用水量とを対応付けてＲＡＭの所定領域に登録して（Ｓ２１０）、本処理を終了する。このように、実施例では、流量センサ２２により検知される流量ｑに基づく使用水量を、使用された時間帯と、おしり洗浄かビデ洗浄の洗浄種別とに対応付けて取得（学習）するのである。
【００２５】
次に、貯留タンク３４の温水ヒータ３５を制御する処理について説明する。図５は、温水ヒータ制御処理の一例を示す説明図である。この温水ヒータ制御処理では、制御装置２０は、まず、温水ヒータ３５の目標温度の設定変更が必要であるか否かを判定する（Ｓ３００）。ここで、例えば、リモコン１８の水温設定スイッチ１８ｆにより洗浄水の設定温度Ｔｓの設定が変更された場合や、図４の温水噴射制御処理において登録された使用水量の登録数（取得数）が例えば十数個から数十個程度の一定数となった場合に、設定変更が必要であると判定する。後者の要件は、使用水量の計測数が少ないことによる目標温度の設定精度の低下を防止するためである。次に、ＲＴＣ２５の時刻情報（現在時刻）から現在の時間帯を取得し（Ｓ３１０）、現在の時間帯に対応付けられた使用水量とおしり洗浄またはビデ洗浄の種別とをＲＡＭの所定領域から取得する（Ｓ３２０）。続いて、おしり洗浄に対応付けられた使用水量の登録数が所定数以上であるか否かを判定する（Ｓ３３０）。この判定は、現在の時間帯においておしり洗浄が所定数（所定回数）以上行われているか否かを判定するものとなる。また、所定数としては、現在の時間帯が、おしり洗浄が殆ど行われない時間帯であるか否かを判定するための数（例えば、数個）などが定められている。Ｓ３３０でおしり洗浄に対応付けられた使用水量が所定数以上であると判定すると、おしり洗浄の使用水量の代表値としての使用水量Ｑを算出する（Ｓ３４０）。Ｓ３４０の使用水量Ｑは、所定数以上のおしり洗浄の使用水量の平均値や最頻値、中央値などとすることができ、使用者のおしり洗浄に必要な水量となる。一方、Ｓ３３０でおしり洗浄に対応付けられた使用水量の登録数が所定数以上でないと判定すると、この時間帯では殆どおしり洗浄が行われないから、ビデ洗浄の使用水量に基づいて、ビデ洗浄の使用水量の代表値としての使用水量Ｑを算出する（Ｓ３５０）。Ｓ３５０の使用水量Ｑは、ビデ洗浄の使用水量の平均値や最頻値、中央値などとすることができ、使用者のビデ洗浄に必要な水量となる。
【００２６】
こうして使用水量Ｑを算出すると、現在の洗浄水の設定温度Ｔｓを取得する（Ｓ３６０）。この設定温度Ｔｓは、リモコン１８の水温設定スイッチ１８ｆの操作により設定された温度である。この設定温度Ｔｓと、Ｓ３４０またはＳ３５０で算出した使用水量Ｑとに基づいて、保温温度Ｔｈを設定し（Ｓ３７０）、温水温度センサ２１により検出される洗浄水温度が保温温度Ｔｈとなるように温水ヒータ３５を制御して（Ｓ４１０）、本処理を終了する。ここで、上述したように、貯留タンク３４は、上部側と下部側とで洗浄水の温度にムラがあり、上部側の洗浄水が下部側の洗浄水よりも温度が高いものとなっている。また、温水温度センサ２１は、貯留タンク３４内の下部に配置されており、温水温度センサ２１により検出された温度が設定温度Ｔｓよりも低くても上部側の洗浄水の温度は設定温度Ｔｓに達している場合がある。また、出水口３４ｂは、上部側に形成されているから、洗浄時には貯留タンク３４内の洗浄水のうち温度の高い上部側の洗浄水から使用される。さらに、本実施形態では、洗浄時に必要な水量である使用水量Ｑを学習している。これらのことから、貯留タンク３４内の洗浄水のうち上部側の使用水量Ｑ（使用水量Ｑに相当する水量）の洗浄水が設定温度Ｔｓとなるように温水ヒータ３５を制御すれば、洗浄時に設定温度Ｔｓの洗浄水の供給を可能としつつ過剰な加温を抑制することができる。そこで、本実施形態では、上部側の使用水量Ｑを設定温度Ｔｓとするための保温温度Ｔｈ（温水ヒータ３５の目標温度）と使用水量Ｑとの関係を、設定温度Ｔｓ毎に予め実験などにより求めて制御装置２０のＲＯＭなどに記憶しておき、使用水量Ｑと設定温度Ｔｓとが得られると、記憶しているマップを参照して保温温度Ｔｈを設定するものとした。
【００２７】
図６は、使用水量Ｑと保温温度Ｔｈとの関係の一例を示す説明図である。図６（ａ）に示すように、使用水量Ｑが比較的少ない場合には保温温度Ｔｈが比較的低い温度に定められ、図６（ｂ）に示すように、使用水量Ｑが比較的多い場合には保温温度Ｔｈが比較的高い温度に定められる。このように、保温温度Ｔｈは、使用水量Ｑが少ないほど低くなる傾向に定められるものとなり、貯留タンク３４内の全ての洗浄水を設定温度Ｔｓで保温する場合に比べて低い温度とすることができる。なお、制御装置２０は、こうして保温温度Ｔｈを設定すると、温水温度センサ２１により検出される洗浄水温度が保温温度Ｔｈとなるように温水ヒータ３５を制御する。例えば、温水温度センサ２１により検出される洗浄水の現在温度を取得し、使用水量Ｑを保温温度Ｔｈまで昇温する熱量の供給に必要となる温水ヒータ３５の電力に基づいて、温水ヒータ３５を通電制御することなどが行われる。
【００２８】
以上説明した本実施例の温水洗浄便座装置１０は、使用者による洗浄水の使用水量Ｑを学習し、貯留タンク３４内の洗浄水のうち使用水量Ｑ分の洗浄水を保温するための保温温度Ｔｈを設定し、温水温度センサ２１により検出される洗浄水温度が保温温度Ｔｈとなるよう温水ヒータ３５を制御する。このため、洗浄水の保温温度Ｔｈを、使用者の洗浄に必要な使用水量Ｑ分の洗浄水を温めるのに適した温度とすることができるから、温水ヒータ３５の消費電力を抑えつつ温水洗浄を快適に使用させることができる。
【００２９】
また、温水洗浄便座装置１０は、おしり洗浄による使用水量Ｑと、ビデ洗浄による使用水量Ｑとを区別して学習するから、おしり洗浄に必要な使用水量Ｑに応じた適切な保温温度Ｔｈとすることができる。また、時間帯に対応付けて使用水量Ｑを学習しておき、おしり洗浄の登録数が所定数以上であるためにおしり洗浄の使用頻度が比較的高い時間帯では、おしり洗浄に必要な使用水量Ｑに応じた適切な保温温度Ｔｈとし、おしり洗浄の登録数が所定数未満であるためにおしり洗浄の使用頻度が比較的低い時間帯では、ビデ洗浄に必要な使用水量Ｑに応じた適切な保温温度Ｔｈとするから、時間帯毎に適切な保温温度Ｔｈを設定することができる。
【００３０】
実施例では、流量センサ２２により取得される流量ｑに基づいて使用水量を取得したが、これに限られるものではない。例えば、おしり洗浄やビデ洗浄の単位時間当りの流量は、リモコン１８の水勢設定スイッチ１８ｄにより設定される水勢に基づいて定まるから、設定されている水勢と洗浄時間とに基づいて使用水量を取得するものとしてもよい。なお、洗浄時間は、計時タイマ２４により計測した時間を用いればよい。
【００３１】
実施例では、スイッチ操作（おしりスイッチ１８ａかビデスイッチ１８ｂ）に基づいておしり洗浄の使用水量かビデ洗浄の使用水量のいずれかを取得したが、これに限られるものではない。例えば、使用者が便座１４に着座している時間に基づいておしり洗浄の使用水量かビデ洗浄の使用水量のいずれかを取得してもよい。例えば、着座している時間が長ければおしり洗浄の使用水量を取得し、着座している時間が短ければビデ洗浄の使用水量を取得するものなどとしてもよい。
【００３２】
実施例では、おしり洗浄に必要な使用水量とビデ洗浄に必要な使用水量とを区別して学習（取得）し、時間帯毎のおしり洗浄の登録数が所定数以上であるか否かに基づいておしり洗浄の使用水量Ｑまたはビデ洗浄の使用水量Ｑのいずれかに基づく保温温度Ｔｈを設定するものとしたが、これに限られるものではない。例えば、おしり洗浄の使用水量Ｑに基づく保温温度Ｔｈとビデ洗浄の使用水量Ｑに基づく保温温度Ｔｈとのうちいずれを設定するかを、使用者が時間帯毎に設定可能としてもよいし、時間帯毎に予め定められているものとしてもよい。時間帯毎に予め定められている場合には、例えば、前述した４つの時間帯のうち、朝時間帯はおしり洗浄の使用水量Ｑに基づく保温温度Ｔｈを設定し、それ以外の時間帯はビデ洗浄の使用水量Ｑに基づく保温温度Ｔｈを設定するものなどとしてもよい。また、時間帯毎に予め定められている場合には、各時間帯で保温温度Ｔｈの設定に必要となる洗浄種別の使用水量のみを学習するものなどとしてもよい。あるいは、時間帯を区別することなく、全時間帯で共通の使用水量Ｑに基づく保温温度Ｔｈを設定してもよい。その場合、おしり洗浄の使用水量Ｑに基づく保温温度Ｔｈを設定してもよいし、ビデ洗浄の使用水量Ｑに基づく保温温度Ｔｈを設定してもよいし、おしり洗浄やビデ洗浄を区別することなく学習した全ての使用水量Ｑに基づく保温温度Ｔｈを設定してもよい。
【００３３】
実施例では、おしり洗浄の使用水量Ｑまたはビデ洗浄の使用水量Ｑのいずれかに基づく保温温度Ｔｈを設定するものとしたが、これに限られるものではない。例えば、設定対象の時間帯におけるおしり洗浄の登録数が所定数以上でなく、ビデ洗浄の登録数も所定数以上でない場合には、その時間帯ではトイレが殆ど使用されていないと判断して、保温温度Ｔｈを最低保温温度Ｔｈｍｉｎに設定するものなどとしてもよい。この最低保温温度Ｔｈｍｉｎは、例えば温水ヒータ３５をオフすることができる温度などに設定することができる。
【００３４】
実施例では、入水口３４ａがタンク下部に形成されると共に出水口３４ｂがタンク上部に形成された貯留タンク３４を例示したが、これに限られず、入水口３４ａと出水口３４ｂとが高さ方向の異なる位置に形成されているものであればよい。あるいは、入水口３４ａと出水口３４ｂとが高さ方向の同じ位置に形成されているものなど、入水口３４ａと出水口３４ｂとがどのような位置関係であってもよい。
【００３５】
実施例では、温水温度センサ２１により検出される洗浄水温度が保温温度Ｔｈとなるよう温水ヒータ３５を制御するものとしたが、これに限られず、保温温度Ｔｈよりも低い待機温度Ｔｔとなるよう温水ヒータ３５を制御するものとしてもよい。このようにする場合の変形例の温水噴射制御処理を図７に示し、変形例の温水ヒータ制御処理を図８に示す。変形例の温水噴射制御処理や温水ヒータ制御処理では、実施例と同じ処理には同じステップ番号を付して、その詳細な説明は省略する。
【００３６】
図７の温水噴射制御処理では、制御装置２０は、Ｓ１００で使用者の着座を検知すると、Ｓ１１０で現在の時間帯を取得して、計時タイマ２４による経過時間Ｔの計測を開始する（Ｓ１１５）。次に、Ｓ１４０でおしり洗浄を開始するかＳ１５０でビデ洗浄を開始すると、計時タイマ２４による経過時間Ｔの計測を終了し、着座してから洗浄を開始するまでの洗浄開始時間として取得する（Ｓ１５５）。即ち、経過時間Ｔを、使用者が着座してからおしり洗浄を開始するまでの洗浄開始時間、または、使用者が着座してからビデ洗浄を開始するまでの洗浄開始時間として取得する。そして、Ｓ１９０で使用者の退座を検知し、Ｓ２００で使用水量を算出すると、時間帯とおしり洗浄かビデ洗浄の種別と使用水量と洗浄開始時間とを対応付けてＲＡＭの所定領域に登録して（Ｓ２１０ａ）、本処理を終了する。
【００３７】
図８の温水ヒータ制御処理では、制御装置２０は、Ｓ３００で保温温度Ｔｈや後述する待機温度Ｔｔの設定が必要であると判定すると、Ｓ３１０で取得した現在の時間帯に対応付けて登録されている使用水量とおしり洗浄かビデ洗浄の種別と洗浄開始時間とを取得する（Ｓ３２０ａ）。そして、Ｓ３３０でおしり洗浄の登録数が所定数以上であると判定し、Ｓ３４０でおしり洗浄の使用水量Ｑを算出すると、おしり洗浄の洗浄開始時間から昇温時間ｔを算出する（Ｓ３４５）。また、Ｓ３３０でおしり洗浄の登録数が所定数以上でないと判定し、Ｓ３５０でビデ洗浄の使用水量Ｑを算出すると、ビデ洗浄の洗浄開始時間から昇温時間ｔを算出する（Ｓ３５５）。Ｓ３４５では、おしり洗浄の洗浄開始時間、即ち、使用者が着座してからおしり洗浄を開始するまでの時間の平均値や最頻値、中央値などを昇温時間ｔとして算出し、Ｓ３５５では、ビデ洗浄の洗浄開始時間、即ち、使用者が着座してからビデ洗浄を開始するまでの時間の平均値や最頻値、中央値などを昇温時間ｔとして算出する。
【００３８】
そして、Ｓ３４０またはＳ３５０で算出した使用水量ＱとＳ３６０で取得した設定温度Ｔｓとに基づいてＳ３７０で保温温度Ｔｈを設定すると、Ｓ３４５またはＳ３５５で算出した昇温時間ｔにおける昇温量ΔＴを算出する（Ｓ３８０）。昇温量ΔＴは、例えば、温水ヒータ３５の加温能力に基づく単位時間当りの昇温量ΔＴｕに、使用者が便座１４に着座してから洗浄を開始するまでの洗浄開始時間である昇温時間ｔを乗じることで算出することができる。なお、単位時間当りの昇温量ΔＴｕは、温水ヒータ３５を駆動してからの貯留タンク３４内の洗浄水の温度の時間変化を実測した実測結果に基づいて予め定めた値とすることもできる。昇温量ΔＴを算出すると、算出した昇温量ΔＴを保温温度Ｔｈから減じることにより待機温度Ｔｔを設定する（Ｓ３９０）。
【００３９】
こうして待機温度Ｔｔを設定するか、Ｓ３００で温度設定が必要でないと判定すると、着座検知センサ２３からの検知信号に基づいて便座１４への使用者の着座が検知されているか否かを判定する（Ｓ４００）。便座１４への着座が検知されていると判定すると、温水温度センサ２１により検出される洗浄水温度が保温温度Ｔｈとなるように温水ヒータ３５を制御して（Ｓ４１０）、本処理を終了する。一方、Ｓ４００で便座１４への着座が検知されていないと判定すると、温水温度センサ２１により検出される洗浄水温度が保温温度Ｔｈとなるように温水ヒータ３５を制御して（Ｓ４２０）、本処理を終了する。これにより、使用者が着座してから洗浄を開始するまでの間（洗浄開始時間、昇温時間ｔの間）に、温水ヒータ３５により待機温度Ｔｔから保温温度Ｔｈまで昇温することができる。このため、使用者が温水洗浄便座装置１０を使用していないときには待機温度Ｔｔで待機させておき、使用者が便座１４に着座すると待機温度Ｔｔから保温温度Ｔｈまで上昇させ、使用者により洗浄開始が指示されるときには貯留タンク３４内の上部側から設定温度Ｔｓの洗浄水を出水させてノズル３９から噴射させることができる。これにより、温水ヒータ３５の消費電力をより一層抑制しつつ、温水洗浄の快適性を確保することができる。
【００４０】
実施例では、貯留タンク３４内に一つの温水温度センサ２１が設けられるものとしたが、これに限られるものではない。例えば、図９の変形例の貯留タンク１３４に示すように、貯留タンク１３４内の温水ヒータ３５の上部近傍位置に配置される第１の温水温度センサ１２１（第１の水温検出手段）と、その第１の温水温度センサよりも上方に配置される第２の温水温度センサ１２２（第２の水温検出手段）との二つの温水温度センサが設けられるものとしてもよい。このようにすれば、第１の温水温度センサ１２１により保温温度Ｔｈとなるように温水ヒータ３５を制御しつつ、第２の温水温度センサ１２２により上部側の使用水量Ｑの洗浄水が設定温度Ｔｓとなったことを確実に検知することができるから、温水ヒータ３５をより適切に制御することが可能となる。なお、二つに限られず、上下に三以上の複数の温水温度センサが設けられるものとしてもよい。
【００４１】
実施例では、貯留タンク３４内が特に区画されていないものとしたが、これに限られるものではなく、貯留タンク内が複数に区画されているものとしてもよい。例えば、貯留タンク内を上部と下部とに区画すると共に、弁（例えば逆止弁）が開状態で下部側から上部側へ洗浄水が流入するよう構成されたセパレータを設けるものとしてもよい。そして、温水ヒータ３５により温められた温水が上部側に貯留されると、上部側と下部側とを遮断して温水を上部側に貯留しておくものなどとする。このようにすることで、必要な使用水量分の温水を待機温度Ｔｔで保温する際の温度ムラを抑制することができる。また、セパレータよりも上部側に、定格出力の小さな保温用のヒータを設けて構成するものとしてもよい。こうすれば、上部側に貯留している洗浄水を待機温度Ｔｔで保温し続けることが可能となる。さらに、必要な使用水量に応じてセパレータが上下に移動するよう構成するものとしてもよい。
【００４２】
実施例では、使用者を区別することなく取得（学習）した使用流量Ｑを用いて温水ヒータ３５を制御するものとしたが、これに限られるものではない。例えば、使用者の特徴を取得する特徴取得装置を設けておき、使用者を区別して使用流量Ｑを学習し、流量が最も多いあるいは予め定められたなどのいずれか一の使用者の使用流量Ｑを用いて温水ヒータ３５を制御するものなどとしてもよい。特徴取得装置は、使用者の特徴として、例えば、使用者の顔画像や指紋、体重などのいずれかを取得可能に構成されているものとすればよい。顔画像を特徴とする場合には、特徴取得装置を、便座装置本体の上部などに埋め込まれて入室した使用者の顔画像を撮像するカメラなどとすることができる。また、指紋を特徴とする場合には、特徴取得装置を、トイレ室のドアノブに埋め込まれて使用者の指紋を取得する指紋センサなどとすることができる。また、体重を特徴とする場合には、特徴取得装置を、トイレ室の床面下に設けられた体重計や便座内に設けられた体重計などとすることができる。
【００４３】
実施例の主要な要素と課題を解決するための手段の欄に記載した発明の主要な要素との対応関係について説明する。実施例では、温水洗浄便座装置１０が「温水洗浄便座装置」に相当し、貯留タンク３４が「貯留部」に相当し、温水ヒータ３５が「温水ヒータ」に相当し、温水温度センサ２１が「水温検出手段」に相当し、制御装置２０が「制御手段」に相当する。また、ＲＴＣ２５と図４のＳ１１０の処理を実行する制御装置２０とが「時間帯情報取得手段」に相当し、着座検知センサ２３が「着座検出手段」に相当する。
【００４４】
なお、実施例の主要な要素と課題を解決するための手段の欄に記載した発明の主要な要素との対応関係は、実施例が課題を解決するための手段の欄に記載した発明を実施するための形態を具体的に説明するための一例であることから、課題を解決するための手段の欄に記載した発明の要素を限定するものではない。即ち、課題を解決するための手段の欄に記載した発明についての解釈はその欄の記載に基づいて行なわれるべきものであり、実施例は課題を解決するための手段の欄に記載した発明の具体的な一例に過ぎないものである。
【００４５】
以上、本発明を実施するための形態について実施例を用いて説明したが、本発明はこうした実施例に何等限定されるものではなく、本発明の要旨を逸脱しない範囲内において、種々なる形態で実施し得ることは勿論である。
【産業上の利用可能性】
【００４６】
本発明は、温水洗浄便座の製造産業などに利用可能である。
【符号の説明】
【００４７】
１  便器、１０  温水洗浄便座装置、１２  便座装置本体、１４  便座、１６  便蓋、１８  リモートコントロール装置（リモコン）、１８ａ  おしりスイッチ、１８ｂ  ビデスイッチ、１８ｃ  止スイッチ、１８ｄ  水勢設定スイッチ、１８ｅ  洗浄位置設定スイッチ、１８ｆ  水温設定スイッチ、１８ｇ  大洗浄スイッチ、１８ｈ  小洗浄スイッチ、２０  制御装置、２０ａ  ＣＰＵ、２１，１２１，１２２  温水温度センサ、２２  流量センサ、２３  着座検知センサ、２４  計時タイマ、２５  ＲＴＣ（リアルタイムクロック）、３２  止水弁、３４，１３４  貯留タンク、３４ａ  入水口、３４ｂ  出水口、３５  温水ヒータ、３６  流量調整弁、３８  流路切替弁、３９  ノズル、３９ａ  おしり洗浄ノズル、３９ｂ  ビデ洗浄ノズル。
【図１】
2018053443.tif 000003
【図２】
2018053443.tif 000004
【図３】
2018053443.tif 000005
【図４】
2018053443.tif 000006
【図５】
2018053443.tif 000007
【図６】
2018053443.tif 000008
【図７】
2018053443.tif 000009
【図８】
2018053443.tif 000010
【図９】
2018053443.tif 000011